(57)【特許請求の範囲】
【請求項１】
頸部を有する瓶を減圧するためのポンプ組立体において、
瓶の頸部に取り付けるための閉鎖手段を備え、前記閉鎖手段は、瓶を減圧しかつ瓶を減圧した後密封を作るための弁手段を有し、
前記閉鎖手段が瓶の頸部に取り付けられると前記閉鎖手段に取り外し可能に取り付けられる中空ハウジングと、
前記ハウジングに取り付けられかつ前記閉鎖手段より上に拡張室を形成する引き伸ばし可能なダイアフラムとを備え、前記引き伸ばし可能なダイアフラムは前記ハウジングに取り付けられた外周を有し、また
前記閉鎖手段の前記弁手段を介して瓶を減圧するために、前記ダイアフラムを引き伸ばして前記拡張室を拡張するように前記ダイアフラムに作用可能に連結されたアクチュエータ手段を備えたことを特徴とするポンプ組立体。
【請求項２】
前記ハウジング手段は、前記閉鎖手段の外周と密封を作るための中空突起を有する請求項１に記載のポンプ組立体。
【請求項３】
前記閉鎖手段は、ダイアフラムが引き伸ばされるときに瓶の中の空気を排気することができるたわみやすいポートを有する請求項２に記載のポンプ組立体。
【請求項４】
さらに、前記ダイアフラムに取り付けられたダイヤフラムホルダを有し、前記ダイヤフラムホルダは前記アクチュエータ手段に取り付けられた上方直立区分を有し、前記上方直立区分はハウジングに対してその相対的な移動を可能にするローラを有し、前記ハウジングは前記上方直立区分の移動を可能にする前記ローラを受けるための軌道を有する請求項１に記載のポンプ組立体。
【請求項５】
さらに、前記ダイアフラムが引き伸ばされている間前記ダイアフラムに弾力を加えるために前記ハウジングと前記アクチュエータ手段に取り付けられたばねを有する請求項４に記載のポンプ組立体。
【請求項６】
前記ハウジング手段は、空気を拡張室から大気へ排出するための弁を有する請求項１に記載のポンプ組立体。
【請求項７】
前記の引き伸ばし可能なダイアフラムは連続的な円形のＵ形断面を有する請求項６に記載のポンプ組立体。
【請求項８】
前記ダイアフラムは前記ダイアフラムホルダの上方直立区分に隣接して一対の逆Ｕ形断面を有する請求項７に記載のポンプ組立体。
【請求項９】
前記ダイヤフラムホルダは、前記ダイアフラムに取り付けられた下端と、前記上方直立区分の移動を可能にするための前記ローラが取り付けられた上端とを有するロッドである請求項４に記載のポンプ組立体。
【請求項１０】
アクチュエータ手段は、レバーアームに枢着されたポンプレバーを有し、前記レバーアームは前記ダイアフラムホルダの前記上方直立区分に取り付けられている請求項１に記載のポンプ組立体。
【請求項１１】
前記ハウジングは一対の相互連結された半部を有し、前記半部は前記中空ハウジングを形成するために接触しているそれぞれの縁を有し、前記それぞれの縁は互いに並んで接触する連続的なオフセットリップを有する請求項１に記載のポンプ組立体。
【発明の詳細な説明】
発明の背景
本出願は、２００１年６月２２日に出願された一連番号 60/300,320 の米国仮出願の出願日の優先権利益を主張する。
発明の分野
本発明は、一般に飲み物瓶に関し、特に以前に開けられた後の瓶内の飲み物の品質を延長するための減圧ポンプと飲み物瓶閉鎖装置に関する。
従来技術の概要
飲み物類は或る範囲の大きさを有するプラスチックまたはガラス製の瓶に販売のために密封されている。最初の販売のために始めに瓶詰めした後、瓶は空所を含み、この空所は、炭酸塩化された飲み物の場合には加圧されかつ醗酵された飲み物の場合には空気が抜かれる。ワインのようなある一定の飲み物の品質と味は、瓶が開けられた後空気中の酸素により悪くなる。この問題は、瓶を開けた後再びコルクの栓をすることによって有効には緩和されない。なぜなら、空気が瓶の空所内に捕らえられて、飲み物のおいしさの有効期間を減らすからである。ワインの場合には、飲み物の開けられた瓶が普通窒素とともに蓄えられ、そのため酸素の影響が減らされかつ貯蔵寿命が増加する。ワインの開けた瓶を貯蔵する窒素技術は使用に好都合ではなくかつ最適な結果を達成しない。
【０００１】
従来の他の技術は、再密封された飲み物瓶内の酸素レベルを著しく減らすように作用する減圧装置を用いている。飲み物瓶を減圧しかつ再密封するための多数の過去のポンプや他の装置は使用するのが難しくかつ最適に空気を抜いて再密封することができない。さらに、周知の空気を抜く装置の設計は製造するのに費用がかかりかつ不必要に複雑な機械的設計を有する。それ故、従来技術では、飲み物容器のための有効な減圧ポンプ組立体と閉鎖装置を設けることが望ましい。
【０００２】
発明の概要
それ故、本発明の目的は、開けられた飲み物瓶を、空気を抜いて再密封するための改良された減圧ポンプ組立体と閉鎖装置の２つの実施の形態を提供することである。この場合のポンプは瓶の空所内の酸素レベルをほとんど真空状態まで著しく減らすことができる。閉鎖装置は瓶を有効に再密封して、ポンプにより作られた瓶内の空気が抜かれた状態を保つ。本発明の第一の実施の形態では、閉鎖装置は２つの弁を有し、そのうちの１つの弁により空気を瓶から引き抜くことができかつ第二の弁により瓶から引き抜かれた空気をポンプから釈放することができる。本発明の第二の実施の形態では、閉鎖装置はポンプのハウジングに設けられた弁と協力して作動する単独の弁を有する。ポンプは、最小数の手動行程で瓶内の空気を抜くことができる有効なダイアフラム設計を使用する。このポンプ組立体のダイアフラムは、ポンプが瓶上に取り付けられたとき瓶と共に密封体として作用しかつダイアフラムがポンプ行程中引き伸ばされるときにポンプ要素として作用する二重の機能に役立つ。
【０００３】
好ましい実施の形態の記載
図１〜１０を参照すると、総括的に参照数字２により示された、飲み物瓶のための減圧ポンプ組立体の第一の実施の形態が示されている。図１〜４に見られるように、ポンプ組立体２はハウジング４を有し、このハウジングは接着剤または機械的締付部材により一緒に適当に取り付けられた同一の半部４ａ（図１〜３）により形成されている。ハウジング４は中空の内側部分４ｂを形成している。ハウジング４には、湾曲した上部６と、膨出した湾曲壁８ａを有する下部８が設けられている。一直線に合わされた分割壁１０は内側で上部６を下部８から分離している。図２と４に見られるように、一対の湾曲した軌道１４が、ハウジング上部６においてハウジング半部４ａの内側壁に形成されている。軌道１４は各々、図１〜４に見られるように、囲んだ上端部１６ａと閉じた下端部１８を有する、間隔を置いた突出する連続区分１６により区画されている。ハウジング半部４ａは、ハウジング４の上端を包囲するために角度のついた壁４ｂ′を有する。ハウジングはどんな適当な材料からでも形成することができるけれども、ハウジング４は耐久性のあるプラスチックで製造されるものとして示されている。
【０００４】
ハウジング４の下端２０は開放しており、この下端には、プラスチックや同様なもので形成されたベース２２が接着剤または機械的な締付部材または溶接によるような適当な技術により取り付けられている。図１と６に示したように、ベース２２には、ハウジング４の底部に取り付けられる一体の直立部分２６を有する下部壁２４がある。直立部分２６は、ハウジング４に挿入される上縁部分２６ａを有する。リテーナリング２７が、ベース２２をハウジング４に保持するために上方縁部分２６ａとハウジング４の対応する溝に位置している。ベース２２とハウジング４の両方は底部に調和する円形横断面を有する。中央通路３０が、逆截頭円錐形の連続壁３０ｂを有する下向きの中空突起３０ａにより形成されている。円筒状突起３２が壁２４に一体でありかつ内側突起３０ａを同心に囲んでいて、それによって、後述されるように使用中本発明の瓶閉鎖装置の部分を受け入れる下部開口３３を作る。図１と２に見られるように、中央通路３０はダイアフラム下方室３３ａと流体連通している。連続的な円形隆起３４がベース２２と一体でありかつハウジング４内に連続空間３３ｂを形成している。
【０００５】
図１、２および５に見られるように、引き伸ばし可能なダイアフラム３８がハウジング４に取り付けられており、機械的な力により引き伸ばされたときに上方へ膨らみかつ機械的な力が実質的に取り除かれたときに図１と２に示された通常の形状に戻ることができるシリコンまたは他の材料で製造される。ダイアフラム３８は横断面が円形でありかつその外周は空間３３ｂの中へ下方へ延びている連続的な周方向区分４０により区画されている。引き伸ばし可能なダイアフラム壁４２は外側リング区分４０から一体に広がって下方ダイアフラム室３３ａを包囲している。ダイアフラム壁４２には、ダイアフラム３８の可撓性を増大させるために連続的な溝４４（図５）が設けられている。ダイアフラム外周４０は空間３３ｂ内に接着剤により取り付けることができ、かつさもなければ、ハウジング４にダイアフラムリテーナリング５４（図１と２）により取り付けられるが、そのときダイアフラムリテーナリングはリング４０の上面と、ハウジング４の内側面に形成されたたな状部５５の下面とを取付け状態で押圧する。リテーナ５４は、外周４０の溝５８と相互嵌合する下方突起５６を有する。
【０００６】
ダイアフラム３８の中央部分５９には、中心の水平部分５９ａと、開口５９ｃを形成する上方の中空円筒状突起５９ｂとが設けられている。ダイアフラムホルダ６２の下部がダイアフラム開口５９ｃを通って延びている。ダイアフラムホルダ６２の取付部分６０が取付状態でダイアフラム壁５９ａに付勢された下方拡張端部６４を有する。連続的なリップ６８がダイアフラムホルダ６０から突出していて、さらに固定のためにダイアフラム部分５９ｂの頂部と接触する。
【０００７】
ダイアフラムホルダ６２は例えばナイロンのような適当に強くかつ可撓性の材料で製造され、かつ孔７４を有する取付成形部７２で終わっている湾曲した上方直立区分７０を有する。ステンレス鋼、プラスチックまたは他の材料で形成されるような金属軸７６が孔７４を通って延びている。ローラ７８（図２）が軸７６の対向端に周知技術により回転可能に取り付けられている。ローラ７８は、それぞれ、ローラが軌道１４により区画された軌道曲率を辿ることによりダイアフラム３８を上方へたわませかつローラ７６の運動に一致する状態にダイアフラム室３３ａを拡張するように、ハウジング半部４ａの湾曲した壁１６の間に突出している。
【０００８】
図１、２、７および８に最も良く見られるように、レバーアーム８２が軸７６に枢着され、かつハウジング４に切られた上縁８３ａと下縁８３ｂの間に連続的に設けられたハウジング４の狭い開口８３を通って外部へ突出している（図１および３）。レバーアーム８２は、上方壁８４、間隔を置いた側壁８６および取付端部８８により区画されたわずかに弓状に曲げられたＵ形を有する。図８に最も良く見られるように、ダイアフラムホルダの上端に重なるように側壁８６の内側部分が側壁８６の外側部分より一層大きな間隔だけ隔置されている（図２）。ポンプレバー９０が、後述されるようにその下端でレバーアーム８２の取付端８８に取り付けられている。
【０００９】
図１と１０に見られるように、ポンプレバー９０はまた、一対の突出する、間隔を置いた側壁９４を相互連結する湾曲した外壁９２により作られた弓状の輪郭を有する。図１０に見られるように、間隔を置いた側壁９４は下端９４ａが平行であると共に、間隔を置いた側壁９４は上端９４ａで間隔を置いて他端に向かって先細になっていてかつピン９８によりレバー９０をハウジング４に枢着する取付端９６で終わっている（図１）。湾曲した外壁９２の部分９８ａは、ポンプを作用させるために把持面１００を形成する波形を有する。ポンプレバー９０の下端は、側壁９４とその間に位置するポンプレバー端部を通って突出するピン１０２によりレバーの外端に枢着されている。
【００１０】
図１１と１２を参照すると、総括的に参照数字１２０により示された飲み物瓶閉鎖装置が示されている。閉鎖装置２０の上方部分１２２が、上方空洞１２６を囲むために周方向に延びる拡大円形壁１２４により形成されている。上方部分１２２は閉鎖装置を瓶に挿入するためにかつ瓶から取り外すために把持することができる。閉鎖装置１２０の下端部１３０が流路１３２を作る中空円形突起１３０ａの形をしており、前記流路１３２は、閉鎖装置１２０を開いた頸部の中へ挿入したときに飲み物瓶内の空所と連通する。複数の連続リング１３３が、瓶頸部の内側と密封状態に係合するように下端部１３０のシャンクの周りを延びている。突起１３０ａの上方区分には中間体部分１３４により上方部分１２２が一体に形成されている。中間体部分１３２は空洞１２６の中へ上方へ延びておりかつ平らな水平面１３８により形成された頂部１３６で終わっている。ポンプ組立体２を閉鎖装置１２０上に位置させたときに閉鎖装置１２０の内周部１２２ａがベース２２の外壁３２と係合してその間に密封状態を作る。
【００１１】
第一の弁１４０が水平面１３８を通って設けられかつ面１３８を貫通して通路１３２へ至る切断領域１４２により作られている。その通常の状態では、切断領域１４２は閉鎖状態に弾性的に付勢されて、流路を閉塞しかつ瓶の内部を密封する。ポンプ組立体２を瓶の空気を抜くために後述されるような仕方で閉鎖装置１２０上に位置させると、分裂領域１４２が分離して弁を開けそして空気が瓶の空所からポンプ組立体２のダイアフラム室３３ａへ流れることができる。第二の弁１５０が空気をダイアフラム室から大気ヘ排出するために中間部分上の切除区分に設けられている。第二の弁１５０は閉鎖装置壁部分１５４を貫通して形成された切断区分１５２により作られている。閉鎖装置１２０はシリコン、クラトン（Kraton) または他の同様に作用する材料で製造することができる。
【００１２】
操作に際しては、閉鎖装置１２０を頸部の中へ挿入した後、ポンプ組立体２を予め開けた瓶に取り付ける。ベース２２の内側中空突起３０ａを空洞１２６の中へ挿入することによりポンプ組立体２を閉鎖装置１２０に取り付ける。使用中、レバーアーム８２がローラ７８を、軌道１４に沿って上方へ、ほぼ包囲した上端１６４近くへ移動させるようにポンプレバー９０をぎゅっと握る。同時に、ダイアフラムホルダ７０がダイアフラム３８を上方へ引っ張って引き伸ばして、ダイアフラム室３３ａ内の圧力を減少させる。上方行程で、弁１５０が閉じたままであるが、閉鎖装置１２０の弁１４０は開いて空気を瓶の外へ引き出し、それによって空気を瓶から抜く。ポンプレバー９０を釈放すると、ダイアフラム３８がその元の輪郭に戻って、ローラ７８を軌道１４に沿って下方へ引っ張る。下方行程では、弁１４０が閉じて瓶を密封しかつ弁１５０が開いてダイアフラム室３３ａの空気を排出する。ポンプ組立体２の上方の空気抜き行程中、内側の中空突起が下方へ押圧されて閉鎖装置１２０と比較的大きな摩擦および密封接触する。ダイアフラム３８は瓶の空気を抜くだけではなく、弁１４０が開いている間密封体としても役立つことは明らかであろう。ポンプ組立体２は、瓶を一層多量の空気抜きと大きな減圧が所望ならば、多数の行程で行うことができる。瓶を減圧するとすぐ、ポンプ組立体２が取り外されるが、その間閉鎖装置１２０は瓶上で密封状態であり、それにより両方の弁１４０と１５０がそれらの通常の閉鎖モードを確保する。
【００１３】
さて、図１３〜３３を参照すると、総括的に参照数字２００により示された、飲み物瓶のための減圧ポンプ組立体の第二の実施の形態が示されている。図１３〜１６に見られるように、ポンプ組立体２００はハウジング２０２を有し、このハウジングは接着剤または機械的な締付部材（図示省略）により一緒に適当に取り付けられた前方および後ハウジング半部２０２ａと２０２ｂ（図１３〜１６）により形成されている。ハウジング２０２は、後述されるように、ハウジング半部２０２ａと２０２ｂのそれぞれの縁２０４ａと２０４ｂが相互連結するときに中空内側部分２０２ｃを形成する。図１６において、前ハウジング半部２０２ａは、ハウジング半部２０２ａの縁２０４ａを越えて突出する複数の内側ピン突起２０２ａ′を有する。ピン突起２０２ａ′は、半部２０２ａ，ｂが一緒に組み立てられたときに後ハウジング２０２ｂの内側に形成された中空の突起２０２ｂ′に挿入されるように配置されている。ピン突起２０２ａ′が中空突起２０２ｂ′に挿入されてハウジング半部の取付と支持を助けるように後ハウジング２０２ｂ内に位置している。さらに、前ハウジング２０２ａは、底部と頂部で前ハウジング２０２ａの内側へ突出する３つの同一の支柱２０２ａ″を有する。支柱２０２ａ″には、ハウジング２０２がさらに固定と支持のために組み立てられるときに相互に一致するように形成された中空ベース２０３′の中へ突出する、ハウジング２０２ｂの細くなった突出端部２０３がある。
【００１４】
ハウジング２０２には、膨出する湾曲壁２０８ａ，ｂを有する湾曲上部２０６と下部２０８にが設けられている。膨出した湾曲壁２０８ａ，ｂを形成す対向した縁２０４ａ，ｂと、凸部２０６を形成する縁２０４ａ，ｂとがそれぞれ、互いにずれているリップ２０９ａ，ｂを有する。図１５と１６に見られるように、半部２０２ａと２０２ｂをリップ２０９ａがリップ２０９ｂ内に共にある状態に組み立てたときに、リップ２０９ａと２０９ｂは隣り合う接触密封状態で互いに接触する。オフセットリップ２０９ａ′と２０９ｂもまた縁２０４ａ，ｂのさらなる相互係合のために半部２０２ａと２０２ｂの上方区分に形成されている。図１３〜１６に見られるように、一対の湾曲軌道２１４が、ハウジング上部２０６においてハウジング２０２ａ，ｂの内側壁上に形成されている。軌道２１４はそれぞれ、図１３〜１６に見られるように包囲上端２１６ａと閉鎖下端２１８を有する間隔を置いた突出する連続区分２１６により区画されている。ハウジング半部２０２ａ，ｂは、ハウジング２０２の上端を囲むために角度の付いた壁２０４ｂ′を有する。ハウジングはどんな適当な材料でも形成できるけれども、ハウジング２０２は耐久性のあるプラスチックで製造されるものとして示されている。
【００１５】
図１３、１４、１７および１８に示したように、ハウジング２０２の下端２２０は開放しており、この下端には、プラスチックや同様なもので成形されたベース２２２が、接着剤または機械的な締付部材または溶接のような、適当な技術により取り付けられる。ベース２２２は、ハウジング２０２の底部に取り付けられる一体の直立部分２２６を有する下部壁２２４を有する。直立部分２２６は、ハウジング４に挿入される上縁部分２２６ａを有する。リテーナたな２２７がベース２２２をハウジング２０２に保持するためにハウジング２０２に設けられている。ベース２２２とハウジング２０２の両方は、底部に調和する円形横断面を有する。中心通路２３０が、逆截頭円錐形連続壁２３０ｂを有する下向き中空突起２３０ａにより形成されている。円筒状突起２３２は、後述するように、使用中本発明の瓶閉鎖装置の部分を受け入れる下部開口２３３を作るために内側突起２３０ａを同心に囲む壁２２４と一体である。図１３と１４に見られるように、中央通路２３０はダイアフラム下部室２３３ａと流体連通している。
【００１６】
図１３、１４および１９〜２１に見られるように、引き伸ばし可能なダイアフラム２３８はハウジング２０２に装着され、かつ機械的な力により引き伸ばされたときに上方へ膨らむことができかつ機械的力を実質的に取り除いたときに図１３と１４に示した通常の形状に戻ることができるシリコンまたは他の材料で製造される。ダイアフラム２３８は円形横断面でありかつその外周が空間２３３ｂの中へ下方に延びている連続周方向区分２４０により区画されている。引き伸ばし可能なダイアフラム壁２４２は外側リング区分２４０から一体に延びて下方ダイアフラム室２３３ａを囲んでいる。ダイアフラム壁２４２には、ダイアフラム２３８の可撓性を増加させるために連続的な溝２４４（図１９〜２１）が設けられている。一対の連続溝２４６が溝２４４の各側に配置されている。リブ２４８が溝２４４、２４６内に配置されていて、ダイアフラム２３３ａを図１３のそのゆるんだ出発位置に戻るように補助する。ダイアフラム外周２４０は空間２３３ｂ内に接着剤により取り付けることができるが、他の方法ではリング２４０の上面を、およびハウジング２０２の内面に形成されたたな２５５の下面を取付状態に押圧するダイアフラムリテーナリング２５４（図１３と１４）によりハウジング２０２に取り付けられる。リテーナ２５４は、ダイアフラムの外周２４０の溝２５８と相互に嵌合する下方突起２５６を有する。
【００１７】
ダイアフラム２３８には、中心水平部分２５９ａと、開口２５９ｃを形成する上方中空円筒突起２５９ｂとが設けられている。ダイアフラムロッド２６２の下部が、図１３と１４に見られるようにダイアフラム開口２５９ｃを通って延びている。ダイアフラムロッド２６２の取付部分２６０が、ダイアフラム壁２５９ａに取付状態に付勢される下方拡張端部２６４を有する。連続リップ２６８がダイアフラムホルダ２６０から突出して、さらに固定のためにダイアフラム部分２５９ｂの頂部と接触する。
【００１８】
ダイアフラムロッド２６２は例えばナイロンのような、適当に強くかつ可撓性のある材料で製造され、かつ図２８と２９に見られるように孔２７４を有する取付成形部２７２で終わっている湾曲した上方直立区分２７０を有する。上方区分は拡張した端部２６４の凸状頂部から偏心している。ステンレス鋼、プラスチックまたは他の材料で形成されるような金属軸２７６が孔２７４を通って延びている。ローラ（図示省略）が、ここに開示された本発明の第一の実施の形態に関連して述べたような仕方で軸（図示省略）の対向端に回転可能に取り付けられている。ローラはそれぞれ、ハウジング半部２０２ａ，ｂの湾曲壁２１６の間に突出することにより、ローラが軌道２１４により区画された軌道曲率を辿って、ダイアフラム２３８を上方へたわませかつローラの運動に一致してダイアフラム室２３３ａを拡張する。図１３と１４に示したように、ばね２８０がレバーアーム２８２上のピンと取付アンカー２８２ａに取り付けられていて、ダイアフラム２４２のゆるみを取り除くようになっている。
【００１９】
図１３、１４、２６および２７に最も良く見られるように、レバーアーム２８２は軸２７６に枢着され、かつハウジング２０２に切られた上方縁２８３ａと下方縁２８３ｂの間に連続的に設けられたハウジング２０２の細い開口２８３を通って外部へ延びている（図１３〜１６）。レバーアーム２８２は、上方壁２８４、間隔を置いた側壁２８６および取付端部２８８により区画されたわずかに弓状に曲がったＵ形を有する。図２７に最も良く見られるように、側壁２８６の内側部分は、ダイアフラムホルダの上端に重なるように側壁２８６の外側部分より一層大きな距離だけ間隔を置いている（図１３）。ポンプレバー２９０が、後述されるようにその下端でレバーアーム２８２の取付端２８８に取り付けられている。
【００２０】
図１３、１４、２２および２３に見られるように、ポンプレバー２９０は、また湾曲した外壁２９２（図２２）により作られた弓状に曲げられた輪郭を有し、前記外壁２９２は一対の突出する、間隔を置いた側壁２９４を相互連結する。図２３に見られるように、間隔を置いた側壁２９４は下端２９４ａでほとんど平行であると共に、間隔を置いた側壁２９４は上端２９４ａで間隔を置いた状態で互いに向かって先細になっておりかつピン２９８によりレバー２９０をハウジング２０２に枢着するように取付端２９６で終わっている（図１３）。湾曲した外壁２９２には、ポンプレバー２９０の開口２９３に嵌まる突起３０１を有する弾性的なレバーカバー３００（図２４と２５）を受け入れる開口２９３がある。ポンプレバー２９０の下端は、側壁２９４およびその間に位置するポンプレバー端部２９０ａを通って突出するピンによりレバーの外端に枢着されている。
【００２１】
図３３を参照すると、参照数字１２０′により総括的に示した飲み物瓶閉鎖装置が図示されている。ハウジング１２０′は弁１４０と同様な機能については図１１と１２に示した閉鎖装置と同様であるが、以前の実施の形態に示した排気ポート１５２が除かれている。図３１のベース部分３３４′は、以前の実施の形態の切断区分がなく連続して示されている。閉鎖装置１２０′の上部外周は、ベース２２２の壁突起２３２と密封を作るために複数の水平スロットを有するほぼ円筒状の形である。対向した平らな面が、瓶への挿入と瓶からの取り外しを助けるために上部外周に設けられている。
【００２２】
図１３と１４を参照すると、弁３２０と弁キャップ３２２がベース２２２に取り付けられた状態で示されている。弁３６０が、空気を大気に排出するためにベース２２２の排気ポートより上に取り付けられている。弁３６０と弁キャップ３６２の構造は、２０００年６月６日に出願された一連番号 09/592,717 の共に継続中の米国の非仮出願に開示された弁と弁キャップと同様である。弁３６０は、円形の外周３６８に隣接して配置された中央部分３６８ａを形成する円形の切除領域３６６を有して形成されている。中央通路は切除領域３６８と流体で連通しておりかつほぼ２７０度の間広がっている。中央部分３６８ａの部分３７２の横断面は、部分３３６８ａがたわむことができるように一層薄い。弁キャップ３６２は弁３６０の空洞３６０ａの中に挿入されかつ中央ポート３６４を有する。ダイアグラムの上昇行程で、中央部分３６８ａが中央ポート３６４に接触してポートを閉塞する。下降行程では、中央部分３６８ａがたわまされかつ変位されて空気が通路３６４を通ってベース２２２の排気ポートを出ることができる。
【００２３】
操作に際しては、閉鎖装置３２０が瓶の頸部に挿入された後、ポンプ組立体２００が予め開けられた飲み物瓶に取り付けられる。ポンプ組立体２００を閉鎖装置３２０に取り付けるには、ベース２２２の内側中空突起２３０ａを閉鎖装置３２０の空洞３２６の中へ挿入すればよい。閉鎖装置３２０の内周が内壁と接触しハウジング４にベース２２２の外周の周りで係合して密封をする。使用に際しては、ポンプレバー２９０をぎゅっと握ることにより、レバーアーム２８２がローラを、ほぼ包囲された上端２６４近くで軌道２１４に沿って上方へ移動させる。同時に、ダイアフラムロッド２７０がダイアフラム２３８を上方へ引っ張ってそれを引き伸ばしかつダイアフラム室２３３ａ内の圧力を減少させる。上昇行程では、弁３６０が閉じたままであるが、閉鎖装置３２０の弁３４０は開いて瓶から空気を引き出し、それによって空気が瓶から抜かれる。ポンプレバー２９０を釈放すると、ダイアフラム３８がその元の輪郭に戻ってローラを軌道２１４に沿って下方へ引っ張る。下降行程では、弁３４０が閉じて瓶を密封しかつ弁３６０が開いて空気をダイアフラム室３３３ａから排出する。ダイアフラム３３８は瓶を空けるだけではなく、弁３４０が開いている間密封体としても役立つ。瓶を一層大きな程度に空気を抜いたり減圧したりすることが所望な場合には、ポンプ組立体２００は多行程ですることができる。瓶を減圧するとすぐに、ポンプ組立体２００が取り外され、その間閉鎖装置３２０が瓶上に密封状態にあり、それにより弁３４０がその通常の閉鎖モードをとる。
【図面の簡単な説明】
【図１】本発明の減圧ポンプ組立体の第一の実施の形態を、ハウジング半部を取り除きかつ部分断面して示す側面図である。
【図２】図１の減圧ポンプを、部分的に取り除きかつ部分断面して示す正面図である。
【図３】図１の減圧ポンプ組立体のハウジングの半部の側面図である。
【図４】図３のハウジング半部の正面図である。
【図５】図１のポンプ組立体のポンプダイアフラムを部分断面して示す側面図である。
【図６】図１のポンプ組立体のベースを部分断面して示す側面図である。
【図７】図１のポンプ組立体のレバーアームを部分断面して示す側面図である。
【図８】図７のレバーアームの底面図である。
【図９】図１のポンプ組立体のポンプレバーを部分断面して示す側面図である。
【図１０】  図９のポンプレバーの背面図である。
【図１１】図１のポンプ組立体と共に使用される、弁の付いた瓶閉鎖装置の側面図である。
【図１２】図７の弁付き瓶閉鎖装置を部分断面して示す側面図である。
【図１３】本発明の減圧ポンプ組立体の第二の実施の形態を、ハウジング半部を取り除きかつ部分断面して示す側面図である。
【図１４】図１３の減圧ポンプを、部品を取り外しかつ部分断面して示す正面図である。
【図１５】図１３の減圧ポンプ組立体のハウジングの後ろ半部の側面図である。
【図１６】図１３の正面ハウジング半部の側面図である。
【図１７】図１３のポンプ組立体のベースを、部分断面して示す側面図である。
【図１８】図１７のベースの平面図である。
【図１９】図１３のポンプ組立体のダイアフラムの平面図である。
【図２０】図１９のダイアフラムの底面図である。
【図２１】図１９のダイアフラムを部分断面して示す側面図である。
【図２２】図１３のポンプ組立体と共に使用されるポンプレバーを部分断面して示す側面図である。
【図２３】図２２のポンプレバーの底面図である。
【図２４】図２２のポンプレバーのためのポンプレバーカバーを部分断面して示す側面図である。
【図２５】図２４のポンプレバーカバーの底面図である。
【図２６】図２５のポンプ組立体のためのロッドアームの側面図である。
【図２７】図２６のロッドアームの平面図である。
【図２８】図１３のポンプ組立体とともに使用されるダイアフラムロッドの側面図である。
【図２９】図２８のダイアフラムロッドの平面図である。
【図３０】図１３のポンプ組立体のための弁キャップの平面図である。
【図３１】図３０の弁キャップを部分断面して示す側面図である。
【図３２】図３０の弁キャップとともに使用される弁の平面図である。
【図３３】図１３のポンプ組立体とともに使用される閉鎖装置の側面図である。
【図１】
0004213410.tif 000002
【図２】
0004213410.tif 000003
【図３】
0004213410.tif 000004
【図４】
0004213410.tif 000005
【図５】
0004213410.tif 000006
【図６】
0004213410.tif 000007
【図７】
0004213410.tif 000008
【図８】
0004213410.tif 000009
【図９】
0004213410.tif 000010
【図１０】
0004213410.tif 000011
【図１１】
0004213410.tif 000012
【図１２】
0004213410.tif 000013
【図１３】
0004213410.tif 000014
【図１４】
0004213410.tif 000015
【図１５】
0004213410.tif 000016
【図１６】
0004213410.tif 000017
【図１７】
0004213410.tif 000018
【図１８】
0004213410.tif 000019
【図１９】
0004213410.tif 000020
【図２０】
0004213410.tif 000021
【図２１】
0004213410.tif 000022
【図２２】
0004213410.tif 000023
【図２３】
0004213410.tif 000024
【図２４】
0004213410.tif 000025
【図２５】
0004213410.tif 000026
【図２６】
0004213410.tif 000027
【図２７】
0004213410.tif 000028
【図２８】
0004213410.tif 000029
【図２９】
0004213410.tif 000030
【図３０】
0004213410.tif 000031
【図３１】
0004213410.tif 000032
【図３２】
0004213410.tif 000033
【図３３】
0004213410.tif 000034